(57)【特許請求の範囲】
【請求項１】
基地局と移動局とを含むＣＤＭＡ移動通信システムに於けるハンドオーバ方法に於いて、
前記基地局は、前記移動局に於ける１信号ユニットに相当するフレーム数分以上のとまり木チャネル受信期間を形成する為の圧縮モードによるトラフィックチャネル送信時に、該トラフィックチャネルの通常モードに於ける前記１信号ユニット相当のフレーム数の２倍以上としたフレームを単位とし、且つ時間圧縮して繰り返し連続送信する過程を含む
ことを特徴とするハンドオーバ方法。
【請求項２】
基地局と移動局とを含むＣＤＭＡ移動通信システムに於けるハンドオーバ方法に於いて、
前記基地局は、前記移動局に於ける１信号ユニットに相当するフレーム数分以上のとまり木チャネル受信期間を形成する為の圧縮モードによるトラフィックチャネル送信時に、該トラフィックチャネルの通常モードに於ける前記１信号ユニット相当のフレーム数の２倍以上としたフレームを単位とし、且つ時間圧縮して繰り返し連続して送信する過程を含み、
前記移動局は、前記基地局の前記圧縮モードにより送信した前記トラフィックチャネルの受信と、前記とまり木チャネルの受信とを、前記基地局の圧縮モードにより時間圧縮して繰り返し送信する周期に従って切替える過程を含む
ことを特徴とするハンドオーバ方法。
【請求項３】
前記移動局は、前記基地局の圧縮モードによる前記トラフィックチャネルの送信中に、前記とまり木チャネルの無線フレームに合わせて前記１信号ユニット相当のフレーム数分の時間毎に受信周波数を切替えて、前記トラフィックチャネルと前記とまり木チャネルとの受信を行い、該とまり木チャネルの受信によりシステムフレーム番号を抽出する過程を含むことを特徴とする請求項１又は２記載のハンドオーバ方法。
【請求項４】
前記移動局は、前記基地局の圧縮モードによる送信中に、前記とまり木チャネルの無線フレームに合わせて前記１信号ユニット相当のフレーム数分の時間毎に受信周波数を切替えて、前記トラフィックチャネルと前記とまり木チャネルとの受信を行い、該トラフィックチャネル受信期間に於ける前記１信号ユニット相当のフレーム数の２倍以上のフレーム単位の繰り返し送信されるフレームの先頭から受信できない時に、前回の受信フレームの後半と今回の受信フレームの前半とを合成して１フレームを復元する過程を含むことを特徴とする請求項１乃至３の何れか１項記載のハンドオーバ方法。
【請求項５】
移動局との間でＣＤＭＡ通信を行う基地局に於いて、
トラフィックチャネルの通常モードに於ける１信号ユニット相当のフレーム数を２倍以上としたフレームを単位として時間圧縮処理するデータ処理部と、
該データ処理部からの時間圧縮処理した前記１信号ユニット相当のフレーム数の２倍以上のフレーム分を一時記憶する記憶部と、
前記データ処理部により時間圧縮処理された前記１信号ユニット相当のフレーム数の２倍以上のフレーム分を送信した後、前記１信号ユニット相当のフレーム数の２倍以上のフレーム分と同一の前記記憶部に記憶された前記１信号ユニット相当のフレーム数の２倍以上のフレーム分を読出して送信する制御を行う送信制御部と
を備えたことを特徴とする基地局。
【請求項６】
基地局との間でＣＤＭＡ通信を行う移動局に於いて、
前記基地局の通常モードによるトラフィックチャネルの１信号ユニット相当のフレーム数の２倍以上のフレームを単位とし、且つ時間圧縮して繰り返し送信する前記基地局の圧縮モードによるトラフィックチャネルの送信時に、該トラフィックチャネルの受信周波数と、とまり木チャネルの受信周波数とを切替えて受信する受信部と、
前記とまり木チャネルのフレーム先頭を検出して、該フレーム先頭位置で、前記トラフィックチャネルの受信周波数と前記とまり木チャネルの受信周波数とを前記１信号ユニット相当のフレーム数の周期で切替える受信制御部と
を備えたことを特徴とする移動局。
【請求項７】
前記受信部に於ける前記トラフィックチャネルの受信周波数と、前記とまり木チャネルの受信周波数との切替えに同期して、前記トラフィックチャネル用の逆拡散コードと、前記とまり木チャネル用の逆拡散コードとを切替えて入力する逆拡散部を備えたことを特徴とする請求項６記載の移動局。
【請求項８】
前記受信部に於ける前記トラフィックチャネルの受信周波数と、前記とまり木チャネルの受信周波数との切替えを、システムフレーム番号の抽出を可能とするように、前記とまり木チャネルのフレーム単位でシフトさせる受信制御部を備えたことを特徴とする請求項６又７記載の移動局。
【請求項９】
前記受信部に於ける前記トラフィックチャネルの受信周波数と、前記とまり木チャネルの受信周波数との切替えによる前記トラフィックチャネルの受信フレームを一時的に記憶する記憶部と、該記憶部からフレームの先頭位置を基に読出し、該フレームの先頭から読出すことができないフレームについては最後に読出して分割されたフレームを合成する読出制御部とを備えたことを特徴とする請求項６乃至８の何れか１項記載の移動局。
【請求項１０】
複数の分散配置された基地局とＣＤＭＡ通信を行う移動局とを含む移動通信システムに於いて、
前記基地局は、圧縮モードによるトラフィックチャネルの送信時に、該トラフィックチャネルの通常モードに於ける１信号ユニット相当のフレーム数の２倍以上としたフレームを単位とし且つ時間圧縮して繰り返し連続して送信する構成を備え、
前記移動局は、現在の基地局からのトラフィックチャネルの受信周波数と、移動先の基地局からのとまり木チャネルの受信周波数とを切替えて受信する受信部と、前記とまり木チャネルのフレーム先頭を検出して、該フレーム先頭位置で、前記トラフィックチャネルの受信周波数と前記とまり木チャネルの受信周波数とを前記１信号ユニット相当のフレーム数の周期で切替える受信制御部とを備えた
ことを特徴とする移動通信システム。
【発明の詳細な説明】
【０００１】
【発明の属する技術分野】
本発明は、ＣＤＭＡ（Ｃode Ｄivision Ｍultiple Ａccess ）移動通信システムに於けるハンドオーバ方法，基地局，移動局及び移動通信システムに関する。
交換局（基地局制御局）に接続された基地局が複数配置され、移動局は、通信中に異なる基地局のサービスエリアに移動した時、通信を中断することなく、基地局を切替えるハンドオーバが適用されている。このハンドオーバを効率良く行うことが要望されている。
【０００２】
【従来の技術】
図１２はハンドオーバの説明図であり、複数の基地局１０１1 ，１０１2 ，・・・と、交換局１０２と、移動局１０３とを含む移動通信システムに於いて、移動局１０３が基地局１０１1 を介して固定局又は他の移動局と通信中に、基地局１０１2 のサービスエリア方向に矢印で示すように移動した場合、交換局１０２と基地局１０１1 ，１０１2 との間の制御情報の送受信により、移動局１０３に対して基地局１０１1 から基地局１０１2 を切替えるように制御して、通信を継続させるハンドオーバを行うことができる。
【０００３】
ＣＤＭＡ移動通信システムに於いても、前述のハンドオーバが適用されており、その場合に、基地局１０１1 ，１０１2 の周波数ｆ１，ｆ２が同一であると、両方の基地局１０１1 ，１０１2 を介して通話を継続しながら切替える所謂ソフトハンドオーバが可能となる。又基地局１０１1 ，１０１2 の周波数ｆ１，ｆ２が異なる場合、移動局１０３の受信周波数の切替えが必要となるから、所謂ハードハンドオーバを行うことになる。
【０００４】
ＣＤＭＡ移動通信システムに於ける前述の基地局１０１1 から基地局１０１2 へのハンドオーバに於いて、移動局１０３は、基地局１０１1 との間で通信しているトラフィックチャネルと、基地局１０１2 のとまり木チャネルとの時間差を求め、基地局１０１1 に通知する。基地局１０１1 は、交換局１０２経由して、移動先の基地局１０１2 へこの時間差の情報を通知する。この基地局１０１2 は、この時間差の情報を基に、移動局１０３との間の送受信タイミングを合わせることにより、移動局１０３との間の通信を開始することができる。
【０００５】
ソフトハンドオーバに於いては、通話が途切れないようにハンドオーバを行う為に基地局１０１2 は、移動局１０３のロングコード位相を知る必要がある。これは、移動局１０３のロングコード周期は２9 ×７２フレームであるから、基地局１０１2 が自発的にロングコード周期を得るのが困難な為である。そこで、移動局１０３が基地局１０１2 のとまり木チャネルと上りトラフィックチャネルとの位相差を測定する。
【０００６】
とまり木チャネルは、例えば、図１３に示す信号フォーマットを有するものであり、（ａ）は７２０ｍｓの周期のスーパーフレーム、（ｂ）は１０ｍｓの周期の無線フレーム、（ｃ）は０．６２５ｍｓの無線スロット、（ｄ）は無線スロット内のパイロットＰＬとデータとロングコードマスクシンボルＬＭとを含む第１とまり木チャネルの信号、（ｅ）は無線スロット内のロングコードマスク信号ＬＭのみの第２とまり木チャネルの信号を示す。又（ｆ），（ｇ）は第１とまり木チャネルの信号フォーマット及びロングコード、（ｈ），（ｉ）は第２とまり木チャネルの信号フォーマット及びグループショートコードを、（ｄ），（ｅ）と異なる時間軸として示すものである。
【０００７】
図示のように、１６スロットにより、（ｂ）に示す１無線フレームが構成され、７２無線フレームにより、（ａ）に示す１スーパーフレームが構成される。又第１とまり木チャネル及び第２とまり木チャネルは、スロット周期で構成されている。又（ｄ），（ｆ）に示す第１とまり木チャネルの信号は、（ｇ）で示す期間のロングコードで拡散され、又（ｅ），（ｈ）に示す第２とまり木チャネルの信号は、（ｉ）で示す期間のグループショートコードでロングコードマスクシンボルＬＭが拡散されることを示している。
【０００８】
図１４は基地局のとまり木チャネル送信部の要部説明図であり、１１１はアンテナ、１１２，１１３は送信部、１１４〜１１６は拡散部、１１７はロングコード発生部、１１８は共通ショートコード発生部、１１９はグループショートコード発生部、ＳＷａ〜ＳＷｃは切替スイッチを示す。
【０００９】
第１とまり木チャネル用データは、拡散部１１５に於いて共通ショートコード発生部１１８からの共通ショートコードによって拡散され、更に、拡散部１１４に於いて、ロングコードマスクシンボルＬＭ（図１３参照）以外で切替スイッチＳＷａがオンとなることにより、ロングコード発生部１１７からのロングコードによって拡散されて、送信部１１２により送信周波数に変調され、アンテナ１１１から送信される。
【００１０】
又第２とまり木チャネル用データは、拡散部１１６に於いて、ロングコードマスクシンボルＬＭの時のみ切替スイッチＳＷｂ，ＳＷｃがオンとなり、この切替スイッチＳＷｂを介してグループショートコード発生部１１９からのグループショートコードにより拡散され、切替スイッチＳＷｃを介して送信部１１３に入力され、送信周波数に変調されて、第１とまり木チャネル用データと共にアンテナ１１１から送信される。
【００１１】
従って、移動局は、周辺の複数の基地局から受信できるとまり木チャネルについて、同一の共通ショートコードで逆拡散し、相関値の高いタイミングを記憶し、このタイミングで第２とまり木チャネルに使用されている総てのグループショートコードで逆拡散し、相関値の高いグループショートコードを選択する。例えば、このグループショートコード毎に１６種類のロングコードを含み、このグループショートコードを１６種類用意したとすると、２５６種類のロングコードを１６個にグループ分けすることができる。そこで、相関値の高いグループショートコードに属する１６種類の総てのロングコードで逆拡散することにより、相関値の高いロングコードを選択し、このロングコードによって逆拡散して受信処理することになる。
【００１２】
隣接する基地局１０１1 ，１０１2 が同一周波数の場合の同周波ハンドオーバを適用する場合は、移動局１０３の受信部は１個で済むことになる。そして、トラフィックチャネル用と、とまり木チャネル用との逆拡散部を設けることにより、ハンドオーバ時に、受信レベルの最も大きいとまり木チャネルを選択することができる。これに対して、隣接する基地局１０１1 ，１０１2 が異なる周波数の場合の異周波ハンドオーバを適用する場合は、移動局１０３は、トラフィックチャネル用の周波数の受信部と、とまり木チャネル用の周波数の受信部とを設けることになる。
【００１３】
このように、移動局１０３に２個の受信部を設けることは、小型化，低消費電力化，低価格化を図ることが困難となる。そこで、１個の受信部の受信周波数を時分割的に切替えて、トラフィックチャネルの受信と、とまり木チャネルの受信とを行うことが提案されている。
【００１４】
その場合、基地局は、圧縮モードによりトラフィックチャネルの送信を行うものである。例えば、図１５の（ａ）の通常モード（例えば、８ｋｂｐｓ）のトラフィックチャネルのフレーム＃１，＃２，・・・を、（ｂ）の圧縮モード（Ｃompressed Ｍode ）（例えば、１６ｋｂｐｓ）とするものである。即ち、通常モードの２フレーム分を１フレーム時間に圧縮し、この送信電力を通常モードの場合の２倍程度とし、且つ通常モードの１フレーム時間の空きを挿入して、送信する。
【００１５】
移動局は、（ｃ）に示すように、期間ｔａのトラフィックチャネルＴＲＦの受信と、送信の空き時間となる期間ｔｂのとまり木チャネルＰＥＲの受信とを切替えるもので、その為に、１個の受信部を（ｄ）に示すように、周波数ｆ１，ｆ２に切替えて、トラフィックチャネルＴＲＦの受信と、とまり木チャネルＰＥＲの受信とを交互に行い、トラフィックチャネルＴＲＦの受信データを、２倍に伸長して元のデータに戻して受信処理する。又送信空き時間となる期間ｔｂに於いてとまり木チャネルＰＥＲの受信を行うことができる。
【００１６】
【発明が解決しようとする課題】
前述のようにハンドオーバを行う為には、移動局は、現在のトラフィックチャネルと、移動先のとまり木チャネルとの時間差を例えばチップタイミングの精度で求める必要がある。その場合、現在のトラフィックチャネルと、とまり木チャネルとのフレーム単位のずれは、とまり木チャネルのフレームに含まれるシステムフレーム番号を抽出することにより検出することができる。又各フレームの先頭は同期信号等を基に検出することができるから、現在のトラフィックチャネルのフレームと、とまり木チャネルのフレームとの先頭位置のずれを検出することができる。このフレーム単位のずれと、フレーム先頭位置のずれとを、時間差情報として、移動先の基地局へ交換局を介して通知することになる。
【００１７】
しかし、実際には、とまり木チャネルは、システムフレーム番号を含む無線フレーム（図１３の（ｂ）参照）について、２フレーム単位で誤り検出符号を付加し、誤り訂正符号化を行い、インターリーブを施すものであって、この誤り検出符号の付加，誤り訂正符号化，インターリーブの処理を行う単位を１信号ユニットと称する。
【００１８】
移動局に於いては、この１信号ユニットを受信し、デインターリーブを行い、誤り訂正復号化を行い、誤り検出を行って、システムフレーム番号を識別する必要がある。即ち、とまり木チャネルについて２フレーム分受信する必要がある。このとまり木チャネルは、通常モードで送信しているから、図１５の（ｂ）に示す圧縮モードによる空き時間に対応するとまり木チャネルＰＥＲの受信期間ｔｂでは、１フレーム分しか受信できないことなる。従って、システムフレーム番号を識別することができないものである。
【００１９】
そこで、とまり木チャネルを２フレーム分受信できるように、２フレーム分の空きを形成する圧縮モードが考えられる。しかし、現在の通信中のトラフィックチャネルと、移動先のとまり木チャネルとは、非同期の状態であるから、例えば、図１５の（ｅ），（ｆ）に示すようなタイミングのとまり木チャネルのフレームとなることがある。このように非同期であることにより、とまり木チャネルの２フレーム分を確実に受信するには、２フレーム分の空きでは不十分であって、（ｇ）に示すように、４フレーム分の期間が必要となる。
【００２０】
しかし、圧縮モードとし、且つ４フレーム分のとまり木チャネル受信用の期間を設けると、トラフィックチャネルのデータに４フレーム分の遅延が生じることになり、音声通信や画像通信に於ける品質劣化の問題が生じる。
本発明は、遅延が大きくならず、確実にとまり木チャネルの受信を可能とすることを目的とする。
【００２１】
【課題を解決するための手段】
本発明のハンドオーバ方法は、（１）基地局１１，１２，１３，・・・と移動局３とを含むＣＤＭＡ移動通信システムに於けるハンドオーバ方法であって、基地局は、移動局３に於ける１信号ユニットに相当するフレーム数分以上のとまり木チャネル受信期間を形成する為の圧縮モードによるトラフィックチャネル送信時に、該トラフィックチャネルの通常モードに於ける１信号ユニット相当のフレーム数の２倍以上としたフレームを単位とし、且つ時間圧縮して繰り返し連続送信する過程を含むものである。従って、通常モードのトラフィックチャネルの例えば４フレームの期間内で、とまり木チャネルの例えば２フレームを受信することができると共に、とまり木チャネルの受信期間以外のトラフィックチャネルの圧縮フレームの受信期間により、確実に圧縮４フレーム分の受信が可能となる。
【００２２】
又（２）ハンドオーバ方法に於いて、基地局は、移動局に於ける１信号ユニットに相当するフレーム数分のとまり木チャネル受信期間を形成する為の圧縮モードによる送信時に、通常モードに於ける１信号ユニット相当の２倍以上のフレームを単位とし且つ時間圧縮して繰り返し連続して送信する過程を含み、移動局は、１信号ユニット相当のフレーム数の２倍以上のフレーム単位の繰り返し送信フレームの１信号ユニット相当のフレーム数の時間内のトラフィックチャネル受信と、１信号ユニット相当のフレーム数分の時間内のとまり木チャネル受信とを切替えて行う過程を含むものである。
【００２３】
又（３）ハンドオーバ方法に於いて、移動局は、基地局の圧縮モードによる送信中に、とまり木チャネルの無線フレームに合わせて１信号ユニット相当のフレーム数分の時間毎に受信周波数を切替えて、トラフィックチャネルととまり木チャネルとの受信を行い、とまり木チャネルの受信によりシステムフレーム番号を抽出する過程を含むものである。例えば、１信号ユニットを２フレームにより構成した時に、とまり木チャネルの２フレーム分の受信が可能となるから、システムフレーム番号を抽出することかできる。
【００２４】
又（４）ハンドオーバ方法に於いて、移動局は、基地局の圧縮モードによる送信中に、とまり木チャネルの無線フレームに合わせて１信号ユニット相当のフレーム数分の時間毎に受信周波数を切替えて、トラフィックチャネルととまり木チャネルとの受信を行い、トラフィックチャネル受信期間に於ける１信号ユニット相当のフレーム数の２倍以上のフレーム単位の繰り返し送信されるフレームの先頭から受信できない時に、前回の受信フレームの後半と今回の受信フレームの前半とを合成して１フレームを復元する過程を含むものである。
【００２５】
又（５）移動局との間でＣＤＭＡ通信を行う基地局に於いて、通常モードに於ける１信号ユニットに相当するフレーム数の２倍以上のフレームを単位として、時間圧縮処理するデータ処理部と、このデータ処理部からの圧縮処理した１信号ユニット相当のフレーム数分の２倍以上のフレーム分を一時記憶する記憶部と、データ処理部により圧縮処理された１信号ユニット相当のフレーム分を送信した後、この１信号ユニット相当のフレーム分と同一の記憶部に記憶された１信号ユニット相当のフレーム数の２倍以上のフレーム分を読出して送信する制御を行う送信制御部とを備えている。
【００２６】
又（６）基地局との間でＣＤＭＡ通信を行う移動局に於いて、基地局の圧縮モードによるトラフィックチャネルの送信時に、トラフィックチャネルの受信周波数と、とまり木チャネルの受信周波数とを切替えて受信する受信部と、とまり木チャネルのフレーム先頭を検出して、このフレーム先頭位置で、トラフィックチャネルの受信周波数と、とまり木チャネルの受信周波数とを、１信号ユニット相当のフレーム数の周期で切替える受信制御部とを備えている。
【００２７】
又（７）移動局に於いて、受信部に於けるトラフィックチャネルの受信周波数と、とまり木チャネルの受信周波数との切替えに同期して、トラフィックチャネル用の逆拡散コードと、とまり木チャネル用の逆拡散コードとを切替えて入力する逆拡散部を備えることができる。
【００２８】
又（８）移動局に於いて、受信部に於けるトラフィックチャネルの受信周波数と、とまり木チャネルの受信周波数との切替えを、システムフレーム番号の抽出を可能とするように、とまり木チャネルのフレーム単位でシフトさせる受信制御部を備えることができる。
【００２９】
又（９）移動局に於いて、受信部に於けるトラフィックチャネルの受信周波数と、とまり木チャネルの受信周波数との切替えによるトラフィックチャネルの受信フレームを一時的に記憶する記憶部と、この記憶部からフレームの先頭位置を基に読出し、フレームの先頭から読出すことができないフレームについては最後に読出して分割されたフレームを合成する読出制御部とを備えることができる。
【００３０】
又（１０）複数の分散配置された基地局とＣＤＭＡ通信を行う移動局とを含む移動通信システムに於いて、基地局は、圧縮モード時に、通常モードに於ける１信号ユニットに相当するフレーム数の２倍以上のフレームを単位とし且時間圧縮して繰り返し連続して送信する構成を備え、移動局は、現在の基地局からのトラフィックチャネルの受信周波数と、移動先の基地局からのとまり木チャネルの受信周波数とを切替えて受信する受信部と、とまり木のフレーム先頭を検出して、このフレーム先頭位置で、トラフィックチャネルの受信周波数と、とまり木チャネルの受信周波数とを、１信号ユニット相当のフレーム数分の周期で切替える受信制御部とを備えている。
【００３１】
【発明の実施の形態】
図１は本発明の実施の形態の移動通信システムの説明図であり、１1 ，１2 ，１3 ，・・・は基地局、２は交換局、３は移動局、４はトラフィックチャネル用送信部、５はとまり木チャネル用送信部、６はトラフィックチャネル用受信処理部、７はとまり木チャネル用受信処理部を示す。
【００３２】
隣接する基地局１1 ，１2 が、隣接した異なる国、異なるシステム管理地域、トラヒックの集中する特定地域等に配置されて、それらの送信周波数ｆ１，ｆ２が異なる場合に於いて、移動局３が相手と通信中に矢印方向に移動すると、異周波ハンドオーバを行うことになる。その時、基地局１1 は、トラフィックチャネル用送信部４を圧縮モードに移行させる。
【００３３】
この圧縮モードは、通常モードの１信号ユニットに相当するフレーム数分のとまり木チャネル受信期間を形成する為のもので、１信号ユニット相当のフレーム数の２倍以上のフレームを単位として時間圧縮することを繰り返すもので、例えば、通常モードの４フレームを単位とし、この通常モードの２フレーム分を１フレーム時間に圧縮し、２回繰り返して送信する。又従来例と同様に送信電力を通常モードの２倍程度とする。従って、この圧縮モードに於いては、従来例のような空き時間が生じることなく、連続的な送信状態となる。又この圧縮モードは、隣接配置された基地局１1 ，１2 の送信周波数が異なる場合に於いて、常時実行するか、或いは、基地局１1 や移動局３の受信レベルの低下等を契機に、通常モードから圧縮モードに移行することができる。
【００３４】
又基地局１１は、報知情報によって各種の情報を移動局へ通知できるものであるから、圧縮モードに移行することを、個別の制御チャネルによって移動局３へ通知することができる。移動局３は、この通知に従って、基地局１１の圧縮モードによるトラフィックチャネルの受信と、移動先の基地局１２のとまり木チャネルの受信とを切替える制御を行うことできる。
【００３５】
本発明に於ける圧縮モードは、例えば、１信号ユニットを２フレームにより構成した場合、図２の（ａ）に示す通常モードのフレーム＃１，＃２，＃３，・・・を、（ｂ）に示すように、４フレーム単位で、２フレーム＃３，＃４を１フレーム時間に圧縮し、２フレーム＃５，＃６を１フレーム時間に圧縮し、これらの４フレーム分を２回繰り返し送信することにより、連続的な送信状態とする。
【００３６】
移動先の基地局１2 のとまり木チャネルの２フレームが、例えば、（ｃ）に示すように、（ｂ）の圧縮フレーム＃３〜＃６と一致したタイミングの場合、移動局３は、とまり木チャネルのフレーム先頭を検出して、とまり木チャネルの受信と、トラフィックチャネルの受信とを切替えるものであるから、（ｄ）に示すように、現在通信を行っている基地局１1 のトラフィックチャネルの２回繰り返し送信する前半のフレーム＃３〜＃６の期間内に、移動先の基地局１2 のとまり木チャネルＰＥＲの２フレームを受信し、次に、基地局１1 のトラフィックチャネルの２回繰り返し送信する後半のフレーム＃３〜＃６を受信する。次に、基地局１2 のとまり木チャネルＰＥＲの２フレームを受信し、次に、基地局１1 のトラフィックチャネルの２回繰り返し送信する後半のフレーム＃７〜＃１０を受信する。このように、移動局３は、トラフィックチャネルの周波数と、とまり木チャネルの周波数とを切替えて受信し、且つトラフィックチャネル用受信処理部６と、とまり木チャネル用受信処理部７とを切替える。
【００３７】
前述のとまり木チャネルのフレーム先頭位置は、(1) 任意の１無線フレームでとまり木チャネルの周波数に切替え、(2) 共通ショートコードで逆拡散して相関値の高い帯域を検出し、(3) そのタイミングで複数のグループショートコードで逆拡散し、相関値の高いグループショートコードを選択する。このグループショートコードによってとまり木チャネルの無線フレームの先頭を検出できる場合もある。又(4) 前述の選択したグループショートコードに属するロングコードで逆拡散し、ロングコードを決定して、とまり木チャネルの無線フレーム先頭を検出することができる。
【００３８】
移動局３のトラフィックチャネル用受信処理部６は、圧縮モードの４フレーム単位で伸長処理を行い、連続したフレーム構成として受信処理することができる。又とまり木チャネル用受信処理部７は、移動先の基地局１2 のとまり木チャネルの２フレームを受信処理することができるから、システムフレーム番号の抽出及びフレーム先頭位置のずれ検出が可能となり、この検出情報を基地局１1 へ通知することができる。
【００３９】
又とまり木チャネルの２フレームが、（ｇ）に示すタイミングの場合、移動局３は、（ｈ）に示すように、基地局１1 のトラフィックチャネルの４フレーム単位のフレーム＃５〜＃８を受信し、次に、移動先の基地局１2 のとまり木チャネルＰＥＲの２フレーム分を受信し、次にトラフィックチャネルのフレーム＃９〜＃１２を受信することになり、（ｃ），（ｄ）について説明した場合と同様に、トラフィックチャネルのフレームを順次受信処理できると共に、とまり木チャネルの２フレーム分を受信処理することができる。
【００４０】
又とまり木チャネルのフレーム先頭位置が、（ｅ）に示すように、トラフィックチャネルとフレーム先頭位置とずれている場合、移動局３は、（ｆ）に示すように、とまり木チャネルのフレームの先頭位置を検出して、とまり木チャネルの受信と、トラフィックチャネルの受信とを切替えるものであるから、基地局１1 のトラフィックチャネルのフレーム＃４の後半と、フレーム＃５，＃６と、フレーム＃７の前半とを受信し、次に、移動先の基地局１2 のとまり木チャネルＰＥＲの２フレーム分を受信し、次に、基地局１1 のトラフィックチャネルのフレーム＃７の後半と、フレーム＃８，＃９と、フレーム＃１０の前半とを受信することになる。
【００４１】
この場合、移動局３は、分割して受信されたトラフィックチャネルのフレームについて、その前半をメモリに一時的に記憶させて、その後に受信した後半とを合成することにより、フレーム先頭位置が一致した場合の受信処理と同様に、トラフィックチャネルについての受信処理を行うことができる。
【００４２】
前述のように、とまり木チャネルの２フレーム分を確実に受信する為の４フレーム期間を確保できると共に、とまり木チャネルの受信期間以外をトラフィックチャネルの受信期間とすることにより、トラフィックチャネルは２フレームの遅延で済むことになる。
【００４３】
図３は本発明の実施の形態の基地局の要部説明図であり、１１はアンテナ、１２は送信部、１３は拡散部、１４は切替部、１５は記憶部、１６はデータ処理部、１７は送信制御部であり、受信機能及びとまり木チャネルの送信機能については図示を省略している。
【００４４】
送信制御部１７は、通常モードと圧縮モードとに対応して、送信部１２とデータ処理部１６と切替部１４とを制御し、圧縮モードに於いては、切替部１４の切替制御を通常モードの２フレーム周期で行う構成を備えている。即ち、通常モードの場合、切替部１４を図示状態に切替え、又通常モードのフレーム構成のデータを出力するように、データ処理部１６を制御する。従って、拡散部１３に於いてフレーム周期の基地局対応のロングコードで拡散処理され、送信部１２に於いて送信周波数に変調し、アンテナ１１から送信することになる。
【００４５】
又圧縮モードに於いては、送信制御部１７は、データ処理部１６を制御して、例えば、図２の（ａ）に示す通常モードのフレーム＃１，＃２，＃３，・・・の２フレーム分を１フレーム時間に圧縮させ、又切替部１４を、通常モードの２フレーム周期で切替えるように制御する。例えば、通常モードの４フレーム＃３〜＃６が２フレーム時間に圧縮され、切替部１４を介して拡散部１３に入力されると共に、記憶部１５に入力される。従って、拡散部１３は、圧縮されたフレーム＃３，＃４を、基地局対応のロングコードで拡散処理し、次のフレーム＃５，＃６を同様のロングコードで拡散処理する。
【００４６】
４フレーム＃３〜＃６についての拡散処理後、送信制御部１７は、切替部１４を記憶部１５側に切替える。従って、記憶部１５に記憶された圧縮処理後のフレーム＃３〜＃６が順次読出されて拡散部１３に入力されて、拡散処理されるから、図２の（ｂ）に示すように、通常モードの４フレームを単位とし、２フレーム分を１フレーム時間に圧縮して、２回繰り返し送信することができる。なお、圧縮モードに於いては、通常モードの２倍程度の送信電力とするものである。
【００４７】
図４は本発明の移動局の第１の実施の形態の要部説明図であり、２１はアンテナ、２２は受信部、２３は切替部、２４，２５はトラフィックチャネル用及びとまり木チャネル用の発振器、２６は受信制御部、２７，２８はトラフィックチャネル用及びとまり木チャネル用の逆拡散部、２９，３０はトラフィックチャネル用及びとまり木チャネル用の受信処理部、２９ａは記憶部を示す。なお、送信機能等は図示を省略している。
【００４８】
基地局が通常モードによりトラフィックチャネルの送信を行っている場合は、受信制御部２６は切替部２３を図示の状態に制御し、トラフィックチャネル用の発振器２４からの局部発振信号を受信部２２に入力することにより、トラフィックチャネルの周波数の受信状態となり、逆拡散部２７に於いて基地局対応のロングコードにより逆拡散処理し、受信処理部２９により受信処理する。この時、記憶部２９ａは使用しないように制御されている。
【００４９】
又基地局が圧縮モードによりトラフィックチャネルの送信を行っている場合は、受信制御部２６は、通常モードの２フレーム時間、切替部２３を制御して、発振器２５からの局部発振信号を受信部２２に入力して受信周波数の切替えを行い、又受信処理部２９に於ける記憶部２９ａを用いて圧縮モードによるトラフィックチャネルのデータの伸長処理を行う。例えば、１６ｋｂｐｓの圧縮モードのフレームを記憶部２９ａに書込み、８ｋｂｐｓの速度で読出すことにより、元のフレームの速度に戻すことができる。
【００５０】
又発振器２４，２５の切替制御により、トラフィックチャネル周波数と、とまり木チャネル周波数とに受信周波数を交互に切替えることができる。そして、発振器２５に切替えた時のとまり木チャネルの受信時に、逆拡散部２８に於いて共通ショートコードで逆拡散し、相関値の高いタイミングを記憶し、このタイミングでグループショートコードで逆拡散し、相関値の高いグループショートコードを選択し、このグループショートコードに属するロングコードにより順次逆拡散して、相関値の高いロングコードを選択する。
【００５１】
そして、受信処理部３０は、とまり木チャネルのフレーム先頭を検出し、又受信レベルを検出する。このフレーム先頭位置を受信制御部２６に通知すると、受信制御部２６は、このフレーム先頭位置のタイミングで切替部２３を切替えるように制御する。従って、とまり木チャネルの２フレームを受信できるように切替えることができる。
【００５２】
このとまり木チャネルの２フレーム分の受信により、前述のように、システムフレーム番号の抽出等が可能となる。又現在のトラフィックチャネルのフレーム先頭位置と、とまり木チャネルのフレーム先頭位置との時間差を求めることもできるから、これらの情報を基地局へ通知し、交換局等を経由して、移動先の基地局へ通知することができる。
【００５３】
前述の圧縮モードによる基地局のトラフィックチャネルのフレームが、例えば、図５の（ａ）に示す場合、とまり木チャネルのフレームが図５の（ｂ）に示すように、フレーム先頭位置のタイミングが一致している時、図５の（ｃ）に示すように、移動局は、トラフィックチャネル受信と、とまり木チャネル受信とを、発振器２４，２５の切替えるよる受信周波数の切替えによって、とまり木チャネルの２フレームを受信した後、トラフィックチャネルの圧縮４フレームを受信することができる。従って、とまり木チャネルの２フレームの受信によって、システムフレーム番号の抽出が可能となり、且つトラフィックチャネルのフレームも欠落なしに受信することができる。
【００５４】
図６は本発明の移動局の第２の実施の形態の要部説明図であり、図４と同一符号は同一部分を示し、３１は逆拡散部、３２，３５は切替部、３３はトラフィックチャネル用のコード発生部、３４はとまり木チャネル用のコード発生部である。この実施の形態は、トラフィックチャネルの受信と、とまり木チャネルの受信とが時分割的に行われることから、コード発生部３３，３４を切替部３２によって切替えることにより、逆拡散部３１を共用化した場合を示す。
【００５５】
例えば、切替部２３，３２，３５が図示状態の場合に、発振器２４とコード発生部３３と受信処理部２９とが選択され、トラフィックチャネル周波数の受信復調、トラフィックチャネルのコードによる逆拡散及びトラフィックチャネルのデータの処理が行われ、通常モードの２フレーム分の時間後に、切替部２３，３２，３５が図示状態から切替えられるから、とまり木チャネル周波数の受信復調、とまり木チャネルのコードによる逆拡散及びとまり木チャネルの２フレーム分の受信処理が行われる。
【００５６】
図７は本発明の移動局の第３の実施の形態の要部説明図であり、図４と同一符号は同一部分を示し、４０はシステムフレーム番号抽出部である。このシステムフレーム番号抽出部４０は、前述のように、発振器２５側に切替部２３を切替えて、とまり木チャネル周波数の受信周波数に切替えることによって受信したとまり木チャネルの２フレーム分について、誤り訂正処理，デインターリーブ処理により１フレーム毎に分離し、各フレーム毎に誤り検出を行って、システムフレーム番号を抽出するものである。
【００５７】
この時、とまり木チャネルの２フレーム分が分割して受信処理されると、デインターリーブ処理によって正しい１フレーム分が復元できないことになる。そこで、システムフレーム番号抽出部４０に於いてシステムフレーム番号を抽出できない時に、とまり木チャネルの受信タイミングをとまり木チャネルの１フレーム分シフトするように、受信制御部２６によって切替部２３の切替タイミングを制御する。
【００５８】
例えば、圧縮モードのトラフィックチャネルのフレームが、図８の（ａ）に示す場合に、とまり木チャネルのフレームが、図８の（ｂ）に示すタイミングであり、移動局が（ｃ）に示すタイミングでトラフィックチャネル受信と、とまり木チャネル受信とを切替えていると、前述のように、とまり木チャネルのインターリーブ処理を行った２フレームに対して、とまり木チャネル受信時に、２フレーム分を分割して受信することになる。
【００５９】
そこで、（ｄ）に示すように、トラフィックチャネル受信と、とまり木チャネル受信とを、フレーム先頭位置の検出に従って１フレーム分シフトするように切替える。それによって、とまり木チャネルの２フレーム分を正しく受信することが可能となり、システムフレーム番号の抽出が可能となる。
【００６０】
図９は本発明の移動局の第４の実施の形態の要部説明図であり、図４と同一符号は同一部分を示し、４１は読出処理部、４２は読出制御部を示す。この実施の形態は、トラフィックチャネルと、とまり木チャネルとのフレームの先頭位置がずれている場合でも、圧縮モードのトラフィックチャネルの受信データを復元できる場合を示すものである。
【００６１】
図１０はその動作説明図であり、圧縮モードのトラフィックチャネルのフレーム＃１，＃２，＃３，・・・が、（ａ）に示す場合に、そのフレームの先頭が、（ｂ）に示すとまり木チャネルのフレームの先頭と一致していない場合、移動局は、とまり木チャネルのフレームの先頭のタイミングで、（ｃ）に示すように、とまり木チャネルＰＥＲとトラフィックチャネルＴＲＦとの受信切替えを行うことになるから、時間軸上で拡大して示す（ｄ），（ｅ）のように、フレーム＃６の後半と、フレーム＃３，＃４，＃５と、フレーム  ＃６の前半とを、トラフィックチャネルＴＲＦ受信期間に於いて受信することになる。
【００６２】
受信処理部２９は、圧縮モードのトラフィックチャネルの受信フレームを記憶部２９ａに記憶させて、通常モードの速度で読出すことにより、元のフレームに復元することができる。又前述のように、フレーム＃６の後半と、フレーム＃３，＃４，＃５と、フレーム  ＃６の前半とを受信して記憶部２９ａに記憶させた場合も、通常モードの速度で読出すものであるが、最初のフレーム先頭位置を検出できたフレーム＃３の先頭から読出しを開始し、フレーム＃４，＃５の読出しが終了し、次のフレーム＃６の前半の読出しが終了すると、最初のフレーム＃６の後半の読出しを行うものである。従って、図１０の（ｆ）に示すように、フレーム＃３〜＃６を復元することができる。
【００６３】
図１１は本発明の実施の形態のフローチャートであり、基地局はトラフィックチャネルを圧縮モードで送信しているか否かを判定する（Ａ１）。これは、前述のように、基地局からの報知情報によって判定することができる。そして、圧縮モードの場合、所定のタイミングで２フレーム時間分、受信周波数を切替えて、とまり木チャネルの受信レベルを測定する（Ａ２）。そして、受信レベルの高いとまり木チャネルのフレームの先頭を検出し（Ａ３）、このとまり木チャネルのフレーム先頭に合わせて周波数切替えのタイミングを設定する（Ａ４）。
【００６４】
そして、とまり木チャネル周波数に切替えて受信した２フレーム（ユニット）について誤り検出を行い（Ａ５）、誤り無しの場合は、その２フレームを基にシステムフレーム番号を抽出する（Ａ８）。又誤り有りの場合は、インターリーブされた２フレームを受信した場合でないと判定して、周波数切替えのタイミングを１フレーム分ずらし（Ａ６）、再びとまり木チャネルのユニットについて誤り検出を行い（Ａ７）、誤り無しの場合はステップ（Ａ８）に移行し、誤り有りの場合はステップ（Ａ３）に移行する。
【００６５】
従って、基地局の圧縮モードによるトラフィックチャネルの送信に於ける遅延は、２フレーム分に抑えることが可能となり、又移動局は、とまり木チャネルの２フレーム分を確実に受信することができると共に、継続してトラフィックチャネルのフレームを欠落しないように受信することができる。
【００６６】
本発明は、前述の各実施の形態にのみ限定されるものではなく、種々付加変更することが可能であり、例えば、１信号ユニットに相当するフレーム数を２とした場合の実施の形態を示しているが、フレーム数は２以上とすることも可能であり、このフレーム数に対応して時間圧縮を行うが可能である。又移動局の受信周波数の切替えを行う為の発振器２４，２５は１個の発振器の発振周波数を切替えられるシンセサイザー等により構成することも可能である。又トラフィックチャネル用と、とまり木チャネル用とのコード発生部３３，３４は、切替えて使用するものであるから、１個のコード発生部を設けて、トラフィックチャネル用の逆拡散コードと、とまり木チャネル用の逆拡散コードとを切替えて発生させる構成とすることも可能である。同様に、受信処理部２９，３０は、プロセッサ等を含む１個の受信処理部とし、トラフィックチャネルの受信処理と、とまり木チャネルの受信処理とを切替える構成とすることも可能である。
【００６７】
【発明の効果】
以上説明したように、本発明のハンドオーバ方法，基地局，移動局及び移動通信システムは、ＣＤＭＡ通信に於ける特に異周波ハンドオーバに於いて、基地局の圧縮モードによるトラフィックチャネルの送信時の遅延を増大することなく、又移動局に於けるとまり木チャネルの１信号ユニット相当のフレーム数分の受信を確実に行ってシステムフレーム番号抽出を容易とし、且つトラフィックチャネルのフレーム欠落が生じないように制御することができる利点がある。
【図面の簡単な説明】
【図１】本発明の実施の形態の移動通信システムの説明図である。
【図２】本発明の実施の形態の動作説明図である。
【図３】本発明の実施の形態の基地局の要部説明図である。
【図４】本発明の移動局の第１の実施の形態の要部説明図である。
【図５】本発明の実施の形態の移動局の動作説明図である。
【図６】本発明の移動局の第２の実施の形態の要部説明図である。
【図７】本発明の移動局の第３の実施の形態の要部説明図である。
【図８】本発明の実施の形態の移動局の動作説明図である。
【図９】本発明の移動局の第４の実施の形態の要部説明図である。
【図１０】本発明の実施の形態の移動局の動作説明図である。
【図１１】本発明の実施の形態のフローチャートである。
【図１２】ハンドオーバの説明図である。
【図１３】とまり木チャネルの信号フォーマットである。
【図１４】基地局のとまり木チャネル送信部の要部説明図である。
【図１５】従来例の圧縮モードの説明図である。
【符号の説明】
１1 ，１2 ，１3   基地局
２  交換局
３  移動局
４  トラフィックチャネル用送信部
５  とまり木チャネル用送信部
６  トラフィックチャネル用受信処理部
７  とまり木チャネル用受信処理部
【図１】
0003864326.tif 000002
【図２】
0003864326.tif 000003
【図３】
0003864326.tif 000004
【図４】
0003864326.tif 000005
【図５】
0003864326.tif 000006
【図６】
0003864326.tif 000007
【図７】
0003864326.tif 000008
【図８】
0003864326.tif 000009
【図９】
0003864326.tif 000010
【図１０】
0003864326.tif 000011
【図１１】
0003864326.tif 000012
【図１２】
0003864326.tif 000013
【図１３】
0003864326.tif 000014
【図１４】
0003864326.tif 000015
【図１５】
0003864326.tif 000016